(57)【要約】【課題】媒体を搬送する媒体搬送装置において、装置の大型化を抑制しつつ、ケーブルを適切に配線する。【解決手段】媒体搬送装置１０は、下部ユニット１４と上部ユニット１５とを備えて成る。上部ユニット１５には各種センサーが設けられ、各種センサーから延びるケーブルが上部ユニット１５から出て下部ユニット１４に入り込む。上部ユニット１５と下部ユニット１４との間でケーブルをガイドするケーブルガイド部材４５は、上部ユニット１５の回動軸１５ａと同軸で揺動可能に設けられ、上部ユニット１５から延出するケーブル４７を上部ユニット１５の回動軸線と交差する方向にガイドする第１ガイド部４５ｃ、および第１ガイド部４５ｃと交差する方向にケーブル４７をガイドしてケーブル４７を下部ユニット１４に入り込ませる第２ガイド部４５ｄを備えている。【選択図】図７
2016163942.tif 000002
【特許請求の範囲】
【請求項１】
媒体を搬送する媒体搬送路を構成する第１ユニットと、
前記第１ユニットとの間で前記媒体搬送路を形成する閉状態と前記媒体搬送路を露呈させる開状態とを回動することにより切り換え可能な第２ユニットと、
前記第２ユニットから前記第１ユニットに入り込むケーブルと、
前記第２ユニットの回動軸と同軸で揺動可能に設けられ、前記第２ユニットから延出する前記ケーブルを前記第２ユニットの回動軸線と交差する方向にガイドする第１ガイド部、および前記第１ガイド部と交差する方向に前記ケーブルをガイドして前記ケーブルを前記第１ユニットに入り込ませる第２ガイド部を備えて成るケーブルガイド部材と、
を備えた媒体搬送装置。
【請求項２】
請求項１に記載の媒体搬送装置において、前記第１ガイド部は、前記第２ユニットの回動軸線方向に沿って複数本の前記ケーブルを並列にガイドする、
ことを特徴とする媒体搬送装置。
【請求項３】
請求項２に記載の媒体搬送装置において、媒体を載置する載置台と、
前記載置台において原稿の送り出し方向と交差する方向に変位可能に設けられた、原稿の側端をガイドするエッジガイドと、を備え、
前記エッジガイドが変位可能範囲の最端部に位置する状態において、当該エッジガイドの上部に前記第１ガイド部が位置する、
ことを特徴とする媒体搬送装置。
【請求項４】
請求項１から請求項３のいずれか一項に記載の媒体搬送装置において、前記第２ガイド部は、少なくとも二以上の部材が組み合わされて筒状を成している、
ことを特徴とする媒体搬送装置。
【請求項５】
請求項１に記載の媒体搬送装置において、前記ケーブルを複数本備えるとともに、少なくとも１本のケーブルは、前記媒体搬送路において媒体の重送を検知する重送検知手段の信号を伝達するケーブルである、
ことを特徴とする媒体搬送装置。
【請求項６】
請求項１に記載の媒体搬送装置において、媒体を載置する昇降可能な載置台と、
前記載置台に載置された媒体との非接触状態では下降しており、前記載置台の上昇に伴い媒体によって押し上げられる様に変位可能な、媒体を給送する給送ローラーと、
前記給送ローラーの上昇を検出するローラー検出手段と、を備え、
前記ケーブルを複数本備えるとともに、少なくとも１本のケーブルは、前記ローラー検出手段の信号を伝達するケーブルである、
ことを特徴とする媒体搬送装置。
【請求項７】
請求項１に記載の媒体搬送装置において、媒体を載置する載置台と、
前記載置台から媒体を給送する給送ローラーと、
前記載置台上の媒体の有無を検出する媒体有無検出手段と、を備え、
前記ケーブルを複数本備えるとともに、少なくとも１本のケーブルは、前記媒体有無検出手段の信号を伝達するケーブルである、
ことを特徴とする媒体搬送装置。
【請求項８】
請求項１に記載の媒体搬送装置において、前記ケーブルを複数本備えるとともに、少なくとも１本のケーブルは、前記第２ユニットが備える電子部品を接地させる為のケーブルである、
ことを特徴とする媒体搬送装置。
【請求項９】
請求項１に記載の媒体搬送装置において、媒体を載置する載置台と、
前記載置台から媒体を給送する給送ローラーと、
前記給送ローラーの下流側に設けられた、媒体を所定位置に向けて送るレジストローラーと、
前記レジストローラーの上流に設けられた、媒体の通過を検出する媒体検出手段と、を備え、
前記ケーブルを複数本備えるとともに、少なくとも１本のケーブルは、前記媒体検出手段の信号を伝達するケーブルである、
ことを特徴とする媒体搬送装置。
【請求項１０】
媒体の面を読み取る読み取り手段と、
媒体を搬送する、請求項１から請求項９のいずれか一項に記載の媒体搬送装置と、
を備えた画像読取装置。
【発明の詳細な説明】
【技術分野】
【０００１】
本発明は、媒体を搬送する媒体搬送装置、およびこれを備えた画像読取装置に関する。
【背景技術】
【０００２】
画像読取装置の一例であるスキャナには、原稿の自動送り装置（ＡＤＦ（Auto
Document Feeder）とも呼ばれる）が設けられ、複数枚の原稿の自動送りと読み込みとを行える様に構成される場合がある。その様な原稿自動送り装置の構成としては、原稿を載置する載置台（給紙トレイ）から原稿を送り出し、Ｕ字反転させた後に原稿を読み取り位置に搬送し、そして排出トレイに向けて排出する構成が採られたものがある。
【０００３】
このような原稿送り装置においては、装置内部でジャムが生じた際に、詰まっている原稿を取り除く為に原稿搬送路を開放できる様に構成されている。具体的には、特許文献１記載の自動原稿搬送装置では、ＡＤＦ本体に対しカバーが回動可能に設けられており、カバーを開くことで、原稿搬送路が大きく露呈する様に構成されている。
【先行技術文献】
【特許文献】
【０００４】
【特許文献１】特許平２０１１−１３０１６号公報
【発明の概要】
【発明が解決しようとする課題】
【０００５】
ところで、カバー側には原稿を検出する為のセンサーなどの電子部品が設けられる場合がある。従ってカバーと、ＡＤＦ本体との間に、信号の送受信や電力の供給などを行う為のケーブルが配線される。
【０００６】
しかしながらカバーは開閉動作をするため、カバーとＡＤＦ本体との間のケーブルは、カバーの開閉動作に伴い引っ張りが生じない様に余長を確保する必要がある。この場合、余分なケーブルの配線領域を確保する必要があり、装置を小型化する際の障壁となる。また、カバーとＡＤＦ本体との間でケーブルの位置が確定しない為、例えばカバーを閉じる際にケーブルを挟み込んでしまう虞もある。
【０００７】
また、カバーとＡＤＦ本体との間のケーブルに余長を持たせない為に、カバーの回動軸内にケーブルを通す構成も考えられる。具体的には、カバーの回動軸を中空構造とし、その内側にケーブルを通し、ＡＤＦ本体内部へと入り込ませる構成である。この構成の場合、回動軸の強度を確保する為に軸径を大きくする必要が生じ、装置を小型化する際の障壁となる。
【０００８】
そこで本発明は以上の様な状況に鑑み成されたものであり、その目的は、媒体を搬送する媒体搬送装置において、装置の大型化を抑制しつつ、ケーブルを適切に配線することにある。
【課題を解決するための手段】
【０００９】
上記課題を解決する為の、本発明の第１の態様に係る媒体搬送装置は、媒体を搬送する媒体搬送路を構成する第１ユニットと、前記第１ユニットとの間で前記媒体搬送路を形成する閉状態と前記媒体搬送路を露呈させる開状態とを回動することにより切り換え可能な第２ユニットと、前記第２ユニットから前記第１ユニットに入り込むケーブルと、前記第２ユニットの回動軸と同軸で揺動可能に設けられ、前記第２ユニットから延出する前記ケーブルを前記第２ユニットの回動軸線と交差する方向にガイドする第１ガイド部、および前記第１ガイド部と交差する方向に前記ケーブルをガイドして前記ケーブルを前記第１ユニットに入り込ませる第２ガイド部を備えて成るケーブルガイド部材とを備えたことを特徴とする。
【００１０】
本態様によれば、第２ユニットから第１ユニットに入り込むケーブルは、ケーブルガイド部材によってガイドされる。このケーブルガイド部材は、第２ユニットの回動軸と同軸で揺動可能に設けられる為、第２ユニットの回動に際してその位置が殆ど変化しない。従って第２ユニットと第１ユニットとの間で、第２ユニットの回動に対応させる為のケーブルの余長確保を回避でき、そして第２ユニットと第１ユニットとの間でケーブルの位置を確定させることができる。
【００１１】
また、第２ユニットの回動軸内にケーブルを通す必要もない為、回動軸の強度確保の為に回動軸の軸径を大きくする必要もなく、装置の大型化を回避できる。  
以上により、装置の大型化を抑制しつつ、ケーブルを適切に配線することが可能となる。
【００１２】
尚、ケーブルガイド部材が第２ユニットの回動軸と同軸で揺動するとは、ケーブルガイド部材の回動中心と第２ユニットの回動中心とが完全に一致する形態のほか、ケーブルガイド部材の回動中心が第２ユニットの回動中心から多少外れている形態をも含む意味である。
【００１３】
本発明の第２の態様は、第１の態様において、前記第１ガイド部は、前記第２ユニットの回動軸線方向に沿って複数本の前記ケーブルを並列にガイドすることを特徴とする。  
本態様によれば、前記第１ガイド部は、前記第２ユニットの回動軸線方向に沿って複数本の前記ケーブルを並列にガイドするので、前記第１ガイド部の厚みを抑えることができ、設計の自由度を確保することができる。
【００１４】
本発明の第３の態様は、第２の態様において、媒体を載置する載置台と、前記載置台において原稿の送り出し方向と交差する方向に変位可能に設けられた、原稿の側端をガイドするエッジガイドと、を備え、前記エッジガイドが変位可能範囲の最端部に位置する状態において、当該エッジガイドの上部に前記第１ガイド部が位置することを特徴とする。
【００１５】
本態様によれば、前記エッジガイドが変位可能範囲の最端部に位置する状態において、当該エッジガイドの上部に前記第１ガイド部が位置するので、厚みが抑えられた前記第１ガイド部が前記エッジガイドの上部に位置することで、全体として装置高さ方向寸法の増加を抑えることができる。そして、前記第１ガイド部と前記エッジガイドとの干渉を回避する為に前記第１ガイド部を前記エッジガイドの変位可能範囲外に設ける必要が無く、前記エッジガイドの変位方向における装置寸法の抑制を図ることができる。
【００１６】
本発明の第４の態様は、第１から第３のいずれか一の態様において、前記第２ガイド部は、少なくとも二以上の部材が組み合わされて筒状を成していることを特徴とする。  
本態様によれば、前記第２ガイド部は、少なくとも二以上の部材が組み合わされて筒状を成しているので、前記第２ガイド部にケーブルを通す際、作業が容易となる。特に、前記ケーブルにコネクタを取り付ける場合には、コネクタを取り付けた状態のままで前記第２ガイド部にケーブルを通すことができる。
【００１７】
本発明の第５の態様は、第１の態様において、前記ケーブルを複数本備えるとともに、少なくとも１本のケーブルは、前記媒体搬送路において媒体の重送を検知する重送検知手段の信号を伝達するケーブルであることを特徴とする。
【００１８】
本発明の第６の態様は、第１の態様において、媒体を載置する昇降可能な載置台と、前記載置台に載置された媒体との非接触状態では下降しており、前記載置台の上昇に伴い媒体によって押し上げられる様に変位可能な、媒体を給送する給送ローラーと、前記給送ローラーの上昇を検出するローラー検出手段と、を備え、前記ケーブルを複数本備えるとともに、少なくとも１本のケーブルは、前記ローラー検出手段の信号を伝達するケーブルであることを特徴とする。
【００１９】
本発明の第７の態様は、第１の態様において、媒体を載置する載置台と、前記載置台から媒体を給送する給送ローラーと、前記載置台上の媒体の有無を検出する媒体有無検出手段と、を備え、前記ケーブルを複数本備えるとともに、少なくとも１本のケーブルは、前記媒体有無検出手段の信号を伝達するケーブルであることを特徴とする。
【００２０】
本発明の第８の態様は、第１の態様において、前記ケーブルを複数本備えるとともに、少なくとも１本のケーブルは、前記第２ユニットが備える電子部品を接地させる為のケーブルであることを特徴とする。
【００２１】
本発明の第９の態様は、第１の態様において、媒体を載置する載置台と、前記載置台から媒体を給送する給送ローラーと、前記給送ローラーの下流側に設けられた、媒体を所定位置に向けて送るレジストローラーと、前記レジストローラーの上流に設けられた、媒体の通過を検出する媒体検出手段と、を備え、前記ケーブルを複数本備えるとともに、少なくとも１本のケーブルは、前記媒体検出手段の信号を伝達するケーブルであることを特徴とする。
【００２２】
本発明の第１０の態様に係る画像読取装置は、媒体の面を読み取る読み取り手段と、媒体を搬送する、第１から第９の態様のいずれかに係る媒体搬送装置と、を備えたことを特徴とする。  
本態様によれば、画像読取装置において、上述した第１から第９の態様のいずれかと同様な作用効果を得ることができる。
【図面の簡単な説明】
【００２３】
【図１】本発明に係る原稿搬送装置及びスキャナーの外観斜視図。
【図２】本発明に係る原稿搬送装置及びスキャナーの外観斜視図。
【図３】本発明に係る原稿搬送装置及びスキャナーの側断面図。
【図４】本発明に係る原稿搬送装置の要部側断面図。
【図５】本発明に係る原稿搬送装置の要部側断面図。
【図６】本発明に係る原稿搬送装置の上部ユニットを開いた状態を示す斜視図。
【図７】本発明に係る原稿搬送装置の要部斜視図。
【図８】本発明に係る原稿搬送装置の要部斜視図。
【図９】ケーブルガイド部材の斜視図。
【図１０】ケーブルガイド部材の分解斜視図。
【図１１】本発明に係る原稿搬送装置の要部側断面図。
【図１２】本発明に係る原稿搬送装置の要部側断面図。
【図１３】本発明に係る原稿搬送装置の要部側断面図。
【図１４】上部ユニットを単独で原稿搬送路側から見た斜視図。
【図１５】上部カバーを外した状態で上部ユニットを上方から見た斜視図。
【発明を実施するための形態】
【００２４】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２５】
図１及び図２は本発明に係る原稿搬送装置１０及びスキャナー１の外観斜視図、図３は原稿搬送装置１０及びスキャナー１の側断面図、図４及び図５は原稿搬送装置１０の要部側断面図、図６は上部ユニット１５を開いた状態を示す斜視図である。  
また、図７及び図８は原稿搬送装置１０の要部斜視図、図９はケーブルガイド部材４５の斜視図、図１０はケーブルガイド部材４５の分解斜視図である。
【００２６】
図１１〜図１３は原稿搬送装置１０の要部側断面図、図１４は上部ユニット１５を単独で原稿搬送路側から見た斜視図、図１５は上部カバーを外した状態で上部ユニット１５を上方から見た斜視図である。
【００２７】
以下、スキャナー１の構成を概説する。図１〜図３において、画像読取装置としてのスキャナー１は、スキャナー本体２の上部に、本発明に係る媒体搬送装置の一例である原稿搬送装置（ＡＤＦ（Auto Document Feeder））１０を備えている。原稿搬送装置１０は媒体の一例としての原稿を複数枚セット可能であるとともに、スキャナー本体２における読み取り位置に向けてセットされた原稿を１枚ずつ給送する。図３において符号Ｄはセットされた原稿を示している。  
スキャナー本体２は、原稿搬送装置１０により搬送された原稿を読み取る。
【００２８】
符号１１は、媒体載置台の一例である給送トレイを示している。原稿Ｄは、給送トレイ１１上に載置される。給送トレイ１１には、セットされた原稿Ｄの両サイドをガイドするエッジガイド１３Ａ、１３Ｂが設けられている。エッジガイド１３Ａ、１３Ｂは、原稿の幅方向（給送方向と直交する方向）に変位可能に設けられ、また、図示を省略するラックピニオン機構によって、互いに近接する方向に、或いは互いに離間する方向へと変位する様に設けられている。  
符号３１は、読み取りが完了して排出される原稿Ｄを受ける排出トレイである。
【００２９】
原稿搬送装置１０は、不図示のヒンジを介してスキャナー本体２に対して回動可能に連結されている。  
原稿搬送装置１０においてスキャナー本体２と対向する側には原稿マット９が設けられており、スキャナー本体２における原稿台ガラス３に載置された原稿は、原稿搬送装置１０が閉じられると、原稿マット９により押圧され、その被読み取り面が原稿台ガラス３に密着する。
【００３０】
スキャナー本体２の上面は、原稿台ガラス３、４が設けられている。原稿台ガラス３は、原稿搬送装置１０を用いない読み取りを行う場合に原稿を載置する原稿載置面を形成する。原稿台ガラス４は、原稿搬送装置１０により読み取り位置に搬送された原稿を支持する。
【００３１】
本実施形態においてスキャナー１は一例としてフラットベッド型のスキャナーであり、図３に示す様に原稿台ガラス３、４に対して移動可能な読み取り部５Ａが、原稿台ガラス３、４の下側に設けられている。  
原稿読み取り手段としての読み取り部５Ａは、原稿台ガラス３、４に向けて光を照射し、またその反射光を受光して原稿の情報を読み取る光学ユニットとして構成され、例えばＣＣＤ（Charge Coupled Devices）方式或いはＣＩＳ（Contact
Image Sensor)方式の光学ユニットとして構成される。
【００３２】
読み取り部５Ａは主走査方向（図３において紙面表裏方向）に延設されるとともに、副走査方向（図３において左右方向）に移動可能なキャリッジ６に設けられている。キャリッジ６は、副走査方向に延設されたガイド部材７によりガイドされながら、不図示のモーターの動力を受けて、副走査方向に移動する。  
尚、原稿台ガラス３に載置された原稿を読み取る場合、読み取り部５Ａは副走査方向に移動しながら読み取りを行う。一方、原稿搬送装置１０により搬送される原稿を読み取る場合、読み取り部５Ａは原稿台ガラス４の下側に停止し（図３の状態）、その停止状態を維持する。
【００３３】
続いて、図３及び適宜その他の図をも参照しつつ原稿搬送装置１０における原稿搬送経路を説明する。尚、図３において符号ｅで示す破線は、原稿搬送装置１０内を搬送される原稿Ｄの通過軌跡を示している。  
複数枚の原稿Ｄをセット可能な給送トレイ１１は、不図示のリンク機構及びモーターにより構成される昇降機構によって、最上位の原稿Ｄが給送ローラー１９に当接する姿勢（上昇姿勢）と、給送ローラー１９から待避する姿勢（下降姿勢）と、を切り換え可能となっている。
【００３４】
符号１６は原稿先端を規制する先端規制面を示しており、この先端規制面１６によってセットされた原稿Ｄの先端位置が規制される。  
給送トレイ１１の先端（送り出し方向先端）の上方に設けられた給送ローラー１９は、図示を省略するモーターによって駆動される。給送ローラー１９は、外周面が高摩擦材（ゴム）により形成されている。
【００３５】
給送ローラー１９は上下方向に変位可能に設けられており、給送トレイ１１の下降姿勢では下降しており（実線）、給送トレイ１１が上昇すると、原稿Ｄによって符号１９’および２点鎖線で示すように押し上げられる。  
そして給送トレイ１１、給送ローラー１９がともに上昇した状態で給送ローラー１９が回転駆動されることにより、最上位の原稿Ｄが送り出される。
【００３６】
給送ローラー１９の下流側には、図示を省略するモーターによって正転方向に駆動される分離ローラー２４と、この分離ローラー２４との間で原稿をニップするリタードローラー２３とが対向配置されている。分離ローラー２４及びリタードローラー２３は、ともに外周面が高摩擦材（例えば、ゴム）により形成されている。
【００３７】
リタードローラー２３は所定の回転抵抗が付与されるとともに、従動回転可能に設けられている。そして給送ローラー１９から送り出された最上位の原稿Ｄが、分離ローラー２４とリタードローラー２３とによってニップされた状態で搬送され、また、次位以降の原稿Ｄの重送が防止される。
【００３８】
分離ローラー２４及びリタードローラー２３より下流側の原稿搬送経路には、搬送ローラー対２５、２６、２７、２８、２９が設けられており、これら複数の搬送ローラー対によって原稿Ｄは搬送経路を搬送される。特に、搬送ローラー対２５から搬送ローラー対２７に向かう原稿搬送経路は、原稿Ｄを湾曲反転させる湾曲反転経路となっている。  
符号３０は排出ローラー対であり、この排出ローラー対３０によって、読み取りの行われた原稿Ｄが排出トレイ３１へと排出される。  
上記搬送ローラー対２５〜２９及び排出ローラー対３０は、少なくとも一方側のローラーが不図示のモーターにより回転駆動され、他方側のローラーが従動回転する。
【００３９】
搬送ローラー対２７と搬送ローラー対２８の間では、原稿Ｄは原稿台ガラス４の上面に到達する。この位置では読み取り部５が停止しており、原稿Ｄの搬送動作を利用して、読み取り部５によるスキャニングが行われる。
【００４０】
また、原稿Ｄの両面を読み取る為、搬送ローラー対２８の下流には更に読み取り部５Ｂが設けられている。この読み取り部５Ｂは、原稿に向けて光を照射し、またその反射光を受光して原稿の情報を読み取る光学ユニットとして構成される点で上述した読み取り部５Ａと同様であるが、読み取り部５Ａとは異なり固定的に設けられ、原稿搬送装置１０を利用して搬送される原稿Ｄのみを読み取る。
【００４１】
尚、図３において符号３２で示す記号（三角形）は、給送トレイ１１上の原稿の有無を検知する為の、媒体有無検出手段としての原稿センサーである。また、図３において符号３３、３４、３５、３６、３７で示す記号（三角形）は、原稿の通過を検出する為の原稿センサーである。原稿センサー３３〜３７は接触式センサー或いは光学式センサーで構成することができる。スキャナー１の制御部（不図示）は、これらセンサー３２〜３７によって、適切な原稿搬送制御を行うことができる。  
また、符号３８は、原稿Ｄの重送を検知する重送検知センサーであり、例えば超音波式のセンサーにより構成される。
【００４２】
以上が原稿搬送装置１０の大略構成であり、続いて原稿搬送経路の構成について更に説明する。  
原稿搬送装置１０は、原稿Ｄを搬送する搬送路を構成する第１ユニットとしての下部ユニット１４と、下部ユニット１４との間で原稿搬送路を形成する閉状態（図１）と原稿搬送路を露呈させる開状態（図６）とを切り換え可能な第２ユニットとしての上部ユニット１５と、を備えている。  
上部ユニット１５は、回動軸１５ａ（図７、図８、図１１〜図１５）を中心に回動することにより、上記閉状態と開状態とを切り換える。尚、図１において符号４０は、上部ユニット１０の閉状態を維持するロック機構（不図示）のロックを解除する為のレバーである。また図１において符号４８は、上部ユニット１５の上部外観を構成する上部カバーである。
【００４３】
上部ユニット１５を開くと、図６に示す様に搬送ローラー対２５を構成するローラー２５ａが相手側のローラー２５ｂから離間し、搬送ローラー対２６を構成するローラー２６ａが相手側のローラー２６ｂから離間する。以上により、上部ユニット１５を開くことで、原稿搬送路においてジャムが生じた際に原稿を取り除くことができる。尚、図６において符号４２は、下部ユニット１４が備える下側案内部材（原稿案内部材）であり、符号４１は、上部ユニット１５が備える上側原稿案内部材（原稿案内部材）である。上部ユニット１５を閉じると、下側案内部材４２と上側案内部材４１とが対向し、両部材の間に原稿搬送路が形成される。
【００４４】
図４、図５、図８、図１４において給送ローラー１９は、支持部材２１により支持される。支持部材２１は、回転軸２０を中心にして揺動可能に設けられ、その揺動により、給送ローラー１９が昇降する。回転軸２０は不図示のモーターにより回転駆動される軸であり、回転軸２０から給送ローラー１９へは、支持部材２１に設けられた不図示の歯車群によって動力が伝達される。回転軸２０には、分離ローラー２４も設けられ、給送ローラー１９とともに回転駆動される。
【００４５】
支持部材２１には、図示を省略する舌片状の被検出部が設けられている。一方、上部ユニット１５には、ローラー検出手段としての給送ローラーセンサー３９（図１５）が設けられており、支持部材２１に形成された上記被検出部が、給送ローラーセンサー３９の光軸を遮る様に設けられている。即ち、給送トレイ１１が下降し、給送ローラー１９及び支持部材２１も下降している状態では、上記被検出部は給送ローラーセンサー３９の光軸を遮らない。逆に給送トレイ１１が上昇し、給送ローラー１９及び支持部材２１も上昇すると、上記被検出部が給送ローラーセンサー３９の光軸を遮る。これによりスキャナー１の制御部（不図示）は、給送ローラー１９が上昇位置にあることを検知できる。従ってその検知により、給送ローラー１９の駆動を開始でき、即ち原稿Ｄの給送を開始できる。
【００４６】
また、図４及び図５に示す様に、原稿センサー３３は、揺動部材４３の揺動を検出することにより原稿の通過を検知する。即ち、揺動部材４３には突出部４３ａが形成されており、当該突出部４３ａが原稿搬送路を遮る様に設けられている。また、揺動部材４３には被検出部４３ｂが形成されており、原稿が搬送されていない状態では、図４に示す様に被検出部４３ｂが原稿センサー３３の光軸を遮る位置にある。そして搬送される原稿によって突出部４３ａが図４から図５への変化に示す様に押し上げられることに伴い揺動部材４３が揺動すると、被検出部４３ｂが原稿センサー３３の光軸から外れる。これによりスキャナー１の制御部（不図示）は、原稿の通過を検知することができる。  
尚、揺動部材４３は、不図示のばねによって突出部４３ａが原稿搬送路を遮る揺動方向に付勢された状態に設けられている。
【００４７】
以上説明した給送ローラーセンサー３９、原稿センサー３３、及び重送検知センサー３８、のこれらセンサーは、上部ユニット１５に設けられている。  
しかしながら上部ユニット１５は下部ユニット１４に対して開閉可能に設けられている為、上記各センサーと、下部ユニット１４内に設けられた制御基板（不図示）とを接続するケーブル（図１４において符号４７、図１５において符号４７ａ、４７ｂ、４７ｃ）の処理に工夫が必要となる。  
以下に説明するケーブルガイド部材４５は、下部ユニット１４と上部ユニット１５との間でケーブル４７をガイドする部材である。
【００４８】
図７〜図１３において、ケーブルガイド部材４５は、上部ユニット１５の回動軸１５ａと同軸（同じ回動中心）で揺動可能に設けられ、上部ユニット１５から延出するケーブル４７を上部ユニット１５の回動軸線と交差する方向にガイドする第１ガイド部４５ｃ、および第１ガイド部４５ｃと交差する方向にケーブル４７をガイドしてケーブル４７を下部ユニット１４に入り込ませる第２ガイド部４５ｄを備えている。
【００４９】
図９及び図１０に示す様に、ケーブルガイド部材４５は下側ガイド部材４５ａと上側ガイド部材４５ｂとを備え、即ち本実施形態では二つの部材が組み合わされて構成されており、特に第２ガイド部４５ｄは、二つの部材が組み合わされて筒状を成している。  
これにより、ケーブルガイド部材４５にケーブルを通す際、作業が容易となる。特に、ケーブル４７にコネクタを取り付ける場合には、コネクタを取り付けた状態のままでケーブルガイド部材４５にケーブル４７を通すことができる。
【００５０】
下側ガイド部材４５ａには突起４５ｅ、４５ｅが形成されており、この突起４５ｅ、４５ｅがケーブルガイド部材４５の揺動軸となる。突起４５ｅ、４５ｅは、上部ユニット１５が備える上側案内部材４１の軸受部４１ｂ（図７、図８）に対して嵌合する。その嵌合位置は、上部ユニット１５の回動軸１５ａと同軸となる位置である。
【００５１】
各センサーからは、図１５に示す様に各ケーブル４７ａ、４７ｂ、４７ｃが、上部ユニット１５の回動軸１５ａ（本実施例では２つある回動軸１５ａのうち一方側）に向かうように配線されている。図１５において符号４７ａは、上述した原稿センサー３３から延びるケーブルであり、符号４７ｂは、給送ローラーセンサー３９から延びるケーブルであり、符号４７ｃは、重送検知センサー３８から延びるケーブルである。各ケーブルは各センサーから上部ユニット１５の回動軸１５ａに向かい、ケーブルガイド部材４５を介して下部ユニット１４の内部に入り込む様になっている。また、図１５では図示を省略するが、図３に示した搬送ローラー対（レジストローラー対）２６の上流近傍に設けられた原稿センサー３４から延びるケーブルも、上部ユニット１５の回動軸１５ａに向かい、ケーブルガイド部材４５を介して下部ユニット１４の内部に入り込む様になっている。
【００５２】
また、上部ユニット１５には、図１５では図示を省略するが上部ユニット１５が備える電子部品（上述した各センサーも含む）を接地（グランド）する為のケーブルも設けられており、当該ケーブルも同様に上部ユニット１５の回動軸１５ａに向かい、ケーブルガイド部材４５を介して下部ユニット１４の内部に入り込む様になっている。尚、以下では適宜、上記各ケーブルを区別する必要の無い場合には「ケーブル４７」と総称する。
【００５３】
上側案内部材４１には開口部４１ａ（図７、図８）が形成されており、複数本のケーブル４７は、この開口部４１ａを介し、上部ユニット１５の上側から下側に通される。  
開口部４１ａから出た複数本のケーブル４７は、上部ユニット１５の回動軸線（原稿幅方向に平行）と交差する方向（本実施形態では直交する方向）に延設された第１ガイド部４５ｃに入り込む。第１ガイド部４５ｃは、上部ユニット１５の回動軸線方向に沿って複数本のケーブル４７を並列にガイドする。即ち第１ガイド部４５ｃでは、配線に際して高さが抑制される。
【００５４】
第１ガイド部４５ｃに接続する第２ガイド部４５ｄは、第１ガイド部４５ｃと交差する方向に延び（本実施形態では上部ユニット１５の回動軸線方向に沿って延び）、下部ユニット１４が備えるフレーム１４ａに形成された切り欠き部１４ｂに入り込む。  
第２ガイド部４５ｄでは、複数本のケーブル４７が束ねられ、所謂より線状態でガイドされ、下部ユニット１４に入り込む。
【００５５】
以上のケーブルガイド部材４５は上部ユニット１５と同軸で揺動可能に設けられている為、ケーブルガイド部材４５は、上部ユニット１５の回動に際してその位置が殆ど変化しない。図１１及び図１２はこれを示すものであり、図１１は上部ユニット１５が閉じ、給送トレイ１１が下降した状態を示している。図１２は上部ユニット１５が開き、給送トレイ１１が下降した状態を示している。
【００５６】
図１１及び図１２に示す様に、ケーブルガイド部材４５は上部ユニット１５と同軸で揺動可能に設けられている為、ケーブルガイド部材４５は、上部ユニット１５の回動に際してその位置が殆ど変化しない。従って上部ユニット１５と下部ユニット１４との間でケーブル４７の位置を確定させることができる。従って上部ユニット１５と下部ユニット１４との間で、上部ユニット１５の回動に対応させる為のケーブル４７の余長確保を回避できる。
【００５７】
そしてまた、上部ユニット１５の回動軸内にケーブル４７を通す必要もない為、上部ユニット１５の回動軸の強度確保の為に回動軸の軸径を大きくする必要もなく、装置の大型化を回避できる。  
以上により、装置の大型化を抑制しつつ、ケーブル４７を適切に配線することが可能となる。
【００５８】
尚、第１ガイド部４５ｃは、上述したように上部ユニット１５の回動軸線方向に沿って複数本のケーブル４７を並列にガイドするので、第１ガイド部４５ｃの厚みを抑えることができ、設計の自由度を確保することができる。  
また、原稿載置台としての給送トレイ１１に設けられたエッジガイド１３Ｂが変位可能範囲の最端部に位置する状態において、当該エッジガイド１３Ｂの上部に第１ガイド部４５ｃが位置する（図１３、図１５）。即ち、厚みが抑えられた前記第１ガイド部４５ｃがエッジガイド１３Ｂの上部に位置することで、全体として装置高さ方向寸法の増加を抑えることができる。そして、第１ガイド部４５ｃとエッジガイド１３Ｂとの干渉を回避する為に第１ガイド部４５ｃをエッジガイド１３Ｂの変位可能範囲外に設ける必要が無く、エッジガイド１３Ｂの変位方向（原稿幅方向）における装置寸法の抑制を図ることができる。
【００５９】
以上説明した実施形態において、ケーブル４７は上部ユニット１５の幅方向一方側端部の回動軸付近から外に出て、下部ユニット１４に入り込んでいる。即ち、ケーブルガイド部材４５は上部ユニット１５の幅方向一方側端部にのみ設けられているが、ケーブル４７が上部ユニット１５の幅方向両端部から外に出る構成、即ちケーブルガイド部材４５が複数設けられる構成であっても良い。
【符号の説明】
【００６０】
１  スキャナ、２  スキャナ本体、３  原稿台ガラス、４  原稿台ガラス、５Ａ、５Ｂ  読み取り部、６  キャリッジ、７  ガイド部材、９  原稿マット、１０  原稿搬送装置、１１  給送トレイ、１１ａ  原稿支持面、１３Ａ、１３Ｂ  エッジガイド、１４  下部ユニット、１４ａ  フレーム、１４ｂ  切り欠き部、１５  上部ユニット、１５ａ  回動軸、１６  先端規制面、１９  給送ローラー、２０  回転軸、２１  支持部材、２３  リタードローラー、２４  分離ローラー、２５  搬送ローラー対、２５ａ、２５ｂ  ローラー、２６  搬送ローラー対、２６ａ、２６ｂ  ローラー、２７〜２９  搬送ローラー対、３０  排出ローラー対、３１  排出トレイ、３２〜３７  原稿センサー、３８  重送検出センサー、３９  給送ローラーセンサー、４０  レバー、４１  上側案内部材、４１ａ  開口部、４１ｂ  軸受部、４２  下側案内部材、４３  揺動部材、４５  ケーブルガイド部材、４５ａ  下側ガイド部材、４５ｂ  上側ガイド部材、４５ｃ  第１ガイド部、４５ｄ  第２ガイド部、４５ｅ  突起、４７  ケーブル、４８  上部カバー、Ｄ  原稿、ｅ  原稿通過軌跡
【図１】
2016163942.tif 000003
【図２】
2016163942.tif 000004
【図３】
2016163942.tif 000005
【図４】
2016163942.tif 000006
【図５】
2016163942.tif 000007
【図６】
2016163942.tif 000008
【図７】
2016163942.tif 000009
【図８】
2016163942.tif 000010
【図９】
2016163942.tif 000011
【図１０】
2016163942.tif 000012
【図１１】
2016163942.tif 000013
【図１２】
2016163942.tif 000014
【図１３】
2016163942.tif 000015
【図１４】
2016163942.tif 000016
【図１５】
2016163942.tif 000017